(57)【要約】【課題】  地下構造物用円形蓋本体が、受け枠に過剰に食い込み蓋本体が開かなくなる、錆付きにより開蓋作業が困難であるなどの問題点を解決することを目的とする。【解決手段】  円形状の受け枠と、受け枠の上部開口部を開閉する蓋本体と、受け枠と蓋本体とを連結する蝶番と、蓋本体の蝶番と対向する周縁にバール孔を刻設した地下構造用円形蓋において、受け枠の最上部を凸曲面に形成し、蓋本体の外周面の最上部を前記受け枠の凸曲面に密着嵌合する凹曲面に形成し、蓋本体と受け枠の嵌合接触面の曲線の最上部における接線の角度が垂直線に対して１５°〜３０°とし、接触面の最下部における曲線の接線の角度を垂直線に対して３°〜８°となるように形成し、蓋本体と受け枠が密着嵌合してなる地下構造物用円形蓋とした。【選択図】  図４
2009097178.tif 000002
【特許請求の範囲】
【請求項１】
円形状の受け枠と、受け枠の上部開口部を開閉する蓋本体と、受け枠と蓋本体とを連結する蝶番と、蓋本体の蝶番と対向する周縁にバール孔を刻設した地下構造用円形蓋において、受け枠の最上部を凸曲面に形成し、蓋本体の外周面の最上部を前記受け枠の凸曲面に密着嵌合する凹曲面に形成し、蓋本体と受け枠の嵌合接触面の曲線の最上部における接線の角度が垂直線に対して１５°〜３０°とし、接触面の最下部における曲線の接線の角度を垂直線に対して３°〜８°となるように形成し、蓋本体と受け枠が密着嵌合してなる地下構造物用円形蓋。
【請求項２】
円形状の受け枠と、受け枠の上部開口部を開閉する蓋本体と、受け枠と蓋本体とを連結する蝶番と、蓋本体の蝶番と対向する周縁にバール孔を刻設した地下構造用円形蓋において、受け枠内周面を上部より内側に向かって階段状の３面に形成し、最上部の第１面を凸曲面に設定し、第２面は下端が第１面より内側に突出する傾斜面に設定し、第３面はほぼ垂直面に形成し、それぞれの面をなめらかに接続し、蓋本体の外周面は前記受け枠の内周面に嵌合するように３面を形成し、最上部の第１面は受け枠の第１面と密着嵌合する凹曲面に設定し、蓋本体の第２面は受け枠の傾斜面と０．５〜３ｍｍ隙間を持たせる傾斜面に設定し、第３面は外側に突出した凸曲面でその頂部が受け枠の垂直面に０．２〜０．５ｍｍの隙間が出来るように設定した地下構造物用円形蓋。
【発明の詳細な説明】
【技術分野】
【０００１】
本発明は、円形の蓋本体と、これを上部内周面で支持する受け枠を蝶番で連結してなる地下構造物用円形蓋に関するものである。
【背景技術】
【０００２】
従来の地下構造物用円形蓋は、図１に示すように、蓋本体１０１と受け枠１０２の嵌合面全体を、垂直平面に対して５°〜１０°の同一傾斜角度とし、蓋本体１０１のガタツキ、振動による騒音および蓋本体１０１のずり上がりが起こらない勾配受け構造の蓋本体１０１が多い。
【０００３】
しかし、上記の蓋本体１０１は、設置環境によっては受け枠１０２に食い込むことで蓋本体１０１が開かなくなったり、受け枠と蓋本体の錆付きにより開蓋作業が困難になる欠点があった。
【０００４】
嵌合面の傾斜角度を１０°以上にすると、蓋本体の周辺部の一箇所に荷重がかかった時に、荷重のかかった反対側に蓋本体がずり上がる現象が起こるので、１０°を超える傾斜角度とすることが出来なかった。
【特許文献１】特開昭５３−０７２３５７号公報
【特許文献２】特開２００５−０４８４７９号公報
【発明の開示】
【発明が解決しようとする課題】
【０００５】
勾配受け構造の地下構造物用の円形蓋は、蓋本体の過剰食い込みまたは錆付きにより開蓋作業が困難になる等の問題点がある。
【課題を解決するための手段】
【０００６】
本発明は、上記の事情に鑑み、地下構造物用円形蓋本体が、受け枠に過剰に食い込み蓋本体が開かなくなる、錆付きにより開蓋作業が困難であるなどの問題点を解決するべく、受け枠と蓋本体とを連結する蝶番と、蓋本体の蝶番と対向する周縁にバール孔を刻設した地下構造物用円形蓋において、受け枠の最上部を凸曲面に形成し、蓋本体の外周面の最上部を前記受け枠の凸曲面に密着嵌合する凹曲面に形成し、蓋本体と受け枠の嵌合接触面の曲線の最上部における接線の角度が垂直線に対して１５°〜３０°とし、接触面の最下部における曲線の接線の角度を垂直線に対して３°〜８°となるように形成し、蓋本体と受け枠が密着嵌合する構造とする。
【０００７】
また、本発明は、車両通行の多い場所に設置する場合は、蓋本体のズリ上がりや蓋本体の飛散により事故を防ぐために、円形状の受け枠と、受け枠の上部開口部を開閉する蓋本体と、受け枠と蓋本体とを連結する蝶番と、蓋本体の蝶番と対向する周縁にバール孔を刻設した地下構造用円形蓋において、受け枠内周面を上部より内側に向かって階段状の３面に形成し、最上部の第１面を凸曲面に設定し、第２面は下端が第１面より内側に突出する傾斜面に設定し、第３面はほぼ垂直面に形成し、それぞれの面をなめらかに接続し、蓋本体の外周面は前記受け枠の内周面に嵌合するように３面を形成し、最上部の第１面は受け枠の第１面と密着嵌合する凹曲面に設定し、蓋本体の第２面は受け枠の傾斜面と０．５〜３ｍｍ隙間を持たせる傾斜面に設定し、第３面は外側に突出した凸曲面でその頂部が受け枠の垂直面に０．２〜０．５ｍｍの隙間が出来るように設定した地下構造物用円形蓋とした。
【発明の効果】
【０００８】
本発明は、円形状の受け枠と、受け枠の上部開口を開閉する蓋本体と、受け枠と蓋本体とを連結する蝶番と、蓋本体の蝶番と対向する周縁にバール孔を刻設した地下構造用円形蓋において、受け枠と蓋本体が完全に曲面で嵌合しているので、受け枠と蓋本体との接触面は垂直面に対しての角度は上方では大きく、下方に行くに従って徐々に小さくなっているので、上方で主に荷重を支えると同時に、蓋本体の過剰な食い込みを抑制し、下方で従来の勾配受け構造と同じ効果を得ることが出来る。また、曲面にすることで閉蓋時に蓋本体が受け枠に滑り込みやすくなるので、閉蓋作業が容易になる。
【０００９】
また、請求項２の本発明では、最上部の第１面は前述の効果があり、第２面は長期間の使用による磨耗で蓋本体が沈下するのを一定量でストップさせる効果を持つ。従って、第２面は水平でも良いが、傾斜面とすることで外部からの砂が入った場合に溜まって蓋本体と受け枠の嵌合を阻害することのないよう砂が下に落ちやすくする効果がある。
【００１０】
第３面は蓋本体の車両通行などの条件が厳しい場所に設置する場合に、ほぼ垂直な第３面を設けることで、蓋本体の蓋本体周辺部に荷重がかかった場合の蓋本体のズリ上がりを確実に防止し、蓋本体の揺動を防止し、蓋本体の飛散や、半開きによる車両事故を防ぐことができる。
【００１１】
また、蓋本体の第３面を凸曲面とし、受け枠のほぼ垂直な垂直面との隙間を０．２〜０．５ｍｍとすることで、蓋本体のバール孔にバールを差し込んで蓋本体を傾斜させて開蓋する場合、受け枠の垂直面に干渉して開蓋出来ないということがない。
【発明を実施するための最良の形態】
【００１２】
図２に、本発明の地下構造物用円形蓋の平面図と断面図を示す。
【００１３】
請求項１の本発明は、円形状の受け枠１と、受け枠１の上部開口を開閉する蓋本体２と、受け枠１と蓋本体２とを連結する蝶番３と、蓋本体２の蝶番３と対向する周縁にバール孔４を刻設した地下構造物用円形蓋において、受け枠１の最上部を凸曲面６に形成し、蓋本体２の外周面の最上部を前記受け枠１の凸曲面６に密着嵌合する凹曲面９に形成し、蓋本体２と受け枠１の嵌合接触面の曲線の最上部における接線の角度が垂直線に対して１５°〜３０°とし、接触面の最下部における曲線の接線の角度を垂直線に対して３°〜８°となるように形成し、蓋本体２と受け枠１が密着嵌合してなる地下構造物用円形蓋である。
【００１４】
蓋本体２と受け枠１の嵌合面Ｒを蓋中央方向に膨らみかつ曲面の下端より突出しない曲面とし、その断面において、蓋本体２と受け枠１の嵌合接触面Ｒの曲線の最上部における接線の角度が垂直線に対して１５°〜３０°とし、接触面Ｒの最下部における曲線の接線の角度を垂直線に対して３°〜８°となるような曲線を形成する面で蓋本体２と受け枠１が密着嵌合してなる地下構造物用円形蓋である。
【００１５】
図３に示す蓋本体２の受け枠１との凹曲面９と、受け枠１の蓋本体２との接触する凸曲面６は密着するように同じ形状とする。
【００１６】
上記の構造で、蓋本体２と受け枠１の接触面Ｒの上方で蓋本体２の過剰な食い込みを防止し、蓋本体２と受け枠１の接触面Ｒの下方で従来の勾配受け構造と同様、蓋本体２の動きを止め、蓋本体２のガタツキや、揺動、飛散を防止することが出来る。
【００１７】
請求項２の本発明は、円形状の受け枠１と、受け枠１の上部開口部を開閉する蓋本体２と、受け枠１と蓋本体２とを連結する蝶番３と、蓋本体２の蝶番３と対向する周縁にバール孔４を刻設した地下構造物用円形蓋において、受け枠１内周面を上部より内側に向かって階段状の３面に形成し、最上部の第１面を凸曲面６に設定し、第２面は下端が第１面より内側に突出する傾斜面に設定し、第３面はほぼ垂直面に形成し、それぞれの面をなめらかに接続し、蓋本体２の外周面は前記受け枠１の内周面に嵌合するように３面を形成し、最上部の第１面は受け枠１の第１面と密着嵌合する凹曲面９に設定し、蓋本体２の第２面は受け枠１の傾斜面７と０．５〜３ｍｍ隙間を持たせる傾斜面１０に設定し、第３面は外側に突出した曲面１１でその頂部が受け枠１の垂直面８に０．２〜０．５ｍｍの隙間が出来るように設定した地下構造物用円形蓋である。
【００１８】
蓋本体２と受け枠１の曲面接触面Ｒの下方の垂直線に対する接線角度を蓋本体２の大きさに対して３°〜８°の間で適切にすれば、蓋本体２のズリ上がりや揺動は防ぐことが出来るが、交通量の激しい路面に設置する場合は、蓋本体２のズリ上がりや揺動および飛散を確実に防止するため、受け枠１内周面を上部より内側に向かって階段状の３面に形成し、最上部の第１面を凸曲面６とし、第２面を下端が第１面より内側に突出する傾斜面７とし、第３面はほぼ垂直な垂直面８に形成し、それぞれの面をなめらかに接続し、蓋本体２の外周面は前記受け枠１の内周面に嵌合するように３面を形成し、最上部の第１面は受け枠１の凸曲面６と密着嵌合する凹曲面９に設定し、第２面は受け枠１の傾斜面７と０．５〜３ｍｍ隙間を持たせる傾斜面１０に設定し、第３面は外側に突出した曲面１１でその頂部が受け枠１のほぼ垂直な垂直面８と０．２〜０．５ｍｍの隙間ができるよう設定し、請求項２の本発明とした。
【００１９】
受け枠１の傾斜面７は、当地下構造物用円形蓋を長期間使用した場合、磨耗により蓋本体２が沈下した場合、その沈下を傾斜面７で止める役割をする。この傾斜面７・傾斜面１０は、受け枠１、蓋本体２とも水平でも良いが、蓋本体２の開閉により路面の土砂が内部に入り、この部分に溜まると、蓋本体１のガタツキやずり上がりのおそれがあるため、傾斜面７、傾斜面１０を内側下方に向かう傾斜面とした。
【００２０】
受け枠１の第３面の垂直面８はほぼ垂直面とすることで、蓋本体２周辺部に荷重がかかっ場合に、蓋本体２が斜めになりズリ上がるのを防止する。
【００２１】
蓋本体２の第３面の曲面１１と受け枠１の第３面の垂直面８とは隙間は小さいぼど効果があるが、開蓋作業は、蓋本体２を水平に持ち揚げることはなく、蓋本体２周辺部にあるバール孔４に開閉工具を差込こじ開けるのが通常であるので、蓋本体２が斜状になった状態で持ち上がることになるため、蓋本体２の第３面の凸曲面１１と受け枠１の第３面の垂直面８との間に隙間を設けると同時に蓋本体２の第３面を曲面１１とした。
【産業上の利用可能性】
【００２２】
本発明による地下構造物用円形蓋は、路面設置蓋として使用可能である。特に消火栓蓋のように開蓋に緊急を要するものの場合、開蓋が容易で、かつ車両通行によるガタツキが発生しにくく、蓋本体の飛散による事故を防げる蓋として利用できる。
【図面の簡単な説明】
【００２３】
【図１】従来の地下構造物用円形蓋の要部断面図である。
【図２】本発明の地下構造物用円形蓋の平面図および断面図である。
【図３】本発明の開蓋時の蓋本体と受け枠の要部断面図である。
【図４】本発明の閉蓋体の蓋本体と受け枠の要部断面図である。
【符号の説明】
【００２４】
１…受け枠
２…蓋本体
３…蝶番
４…バール孔
６…凸曲面
９…凹曲面
７…傾斜面
８…垂直面
１０…傾斜面
１１…凸曲面
【図１】
2009097178.tif 000003
【図２】
2009097178.tif 000004
【図３】
2009097178.tif 000005
【図４】
2009097178.tif 000006